(57)【要約】【課題】  回転体に取り付けた、布体と合成樹脂発泡体シートよりなる洗浄体により車体面を洗浄するようにした洗車機であり、車体面を痛めることなく洗浄効果を高めることができる。【解決手段】  洗浄体６は、布体６−１の一面側の全面に合成樹脂発泡体シート６−２を接着剤６−３により接着してなり、その基端側が回転体に取り付けられ、その先端側に切込１１，１２が入れられており、回転体の回転により、洗浄体６の先端側の布体６−１を車体表面に接触させる。【選択図】      図６
2007118686.tif 000002
【特許請求の範囲】
【請求項１】
回転体の外周に取付けた洗浄体を車体表面に接触させて、該車体表面を洗浄するようにした洗車機において、
前記洗浄体は、布体と合成樹脂発泡体シートとからなり、布体の少なくとも一面側の全面に合成樹脂発泡体シートが接合され、該洗浄体は、その基端側に回転体が取付けられ、その先端側に切込みが入れられており、前記回転体の回転により、洗浄体の先端側の布体を車体表面に接触させるようにしたことを特徴とする、洗車機。
【発明の詳細な説明】
【技術分野】
【０００１】
本発明は、回転体の外周に取付けた洗浄体を車体表面に接触させて、該車体表面を洗浄するようにした洗車機に関する。
【背景技術】
【０００２】
従来、回転体の外周に取付けた洗浄体を車体表面に接触させて、該車体表面を洗浄するようにした洗車機において、前記洗浄体として柔軟な布を用い、その布の、回転体が取付けられる基端側に合成樹脂をコーティングしたものは知られている（後記特許文献１参照）。
【特許文献１】特開平６−８７４１４号公報
【発明の開示】
【発明が解決しようとする課題】
【０００３】
ところで、前記特許文献１に示される洗車機のように、布の、回転体が取付けられる基端側をコーティングすると、布の基端側の腰を強くすることでき、洗浄効果を向上させることができる。
【０００４】
しかしながら、布の、回転体が取付けられる基端側に合成樹脂をコーティングした洗浄体は、使用するにしたがって（すなわち同一の洗浄体で洗浄する洗車台数が多くなるにしたがって）合成樹脂がコーティングされていない、先端側（すなわち車体面に接触する側）の腰が次第に弱くなって、洗浄効果が低下するという問題があった。
【０００５】
本発明は、上記に鑑みてなされたもので、布の車体表面を痛めることがないとう特徴を生かしながら、長期に亘って良好な洗浄効果を維持することができる洗車機を提供することを目的とする。
【課題を解決するための手段】
【０００６】
請求項１記載の発明は、回転体の外周に取付けた洗浄体を車体表面に接触させて、該車体表面を洗浄するようにした洗車機において、
前記洗浄体は、布体と合成樹脂発泡体シートとからなり、布体の少なくとも一面側の全面に合成樹脂発泡体シートが接合され、該洗浄体は、その基端側に回転体が取付けられ、その先端側に切込みが入れられており、前記回転体の回転により、洗浄体の先端側の布体を車体表面に接触させるようにしたことを特徴としている。
【発明の効果】
【０００７】
請求項１記載の発明によれば、布体と合成樹脂発泡体シートとよりなる洗浄体は、その基端側（回転体の取付けられる取付側）から先端側（車体表面に接触する自由端側）の全域に亘って腰を強くできるので、布体の、車体面を痛めることなく車体面の洗浄効果を高めることができるという特徴を生かしながら、長期に亘って良好な洗浄効果を維持することができる。
【発明を実施するための最良の形態】
【０００８】
本発明の実施の形態を、添付図面に例示した本発明の実施例に基づいて以下に具体的に説明する。
【０００９】
まず、図１〜９を参照して本発明の第１実施例について説明する。
【００１０】
図１は、本発明洗車機の概略全体正面図、図２は、図１の２−２線に沿う拡大断面図、図３は、図２の３−３線に沿う断面図、図４は、図２の４−４線に沿う展開断面図、図５は、固定具の斜視図、図６は、洗浄体の展開状態を示す平面図、図７は、図６の７−７線に沿う断面図、図８は、洗浄体を折り返した状態を示す斜視図およびそれを矢印Ｂ方向よりみた図、図９は、洗浄体を回転体に組み付ける過程を示す図である。
【００１１】
図１において、洗車機Ｓは、走行レール２，２上を往復走行する門型形状の走行フレーム１を有し、この走行フレーム１は、車両としての自動車Ｖの上面を洗浄するトップブラシ３と、自動車Ｖの側面を洗浄する左右一対のサイドブラシ４，４とを備えている。
【００１２】
トップブラシ３は、回転体としての円筒パイプ５と、円筒パイプ５に取付けられた後述する複数の洗浄体６…とにより構成されている。
【００１３】
円筒パイプ５は、Ａｌ合金材の押出し加工により形成されており、図２，９に示すように、その外周面５Ａに円筒パイプ５の軸線方向に延びる複数の溝７…を有し、それらの溝７…は外周面５Ａにおける円周方向において等間隔に形成されている。溝７は優弧状の壁７Ａと優弧状の壁７Ａの弦部分を外周面５Ａに開放する側壁７Ｂ，７Ｂとからなり、側壁７Ｂ，７Ｂは曲面に形成されている。また、側壁７Ｂ，７Ｂは円筒パイプ５の中心と壁７Ａの優弧の中心を通る中心線７Ｃに対して対称に設けられている。
【００１４】
各洗浄体６は、円筒パイプ５から取り外した展開状態では、図６に示すように、その展開平面が四角なシート状を呈しており、布体６−１と合成樹脂発泡体シート６−２とからなり、図７に示すように布体６−１の一面側の全面に亘って合成樹脂発泡体シート６−２が接着剤６−３で接合されている。
【００１５】
布体６−１、合成樹脂発泡体シート６−２および接着剤６−３としては、この第１実施例では、下記のものが使用される。
【００１６】
記
１．布体６−１
旭化成せんい株式会社製
長繊維不織布  商品名：エルタス
品番                ：Ｅ００１４０（材質エステル）
２．合成樹脂発泡体シート６−２
材質    ：ポリエチレン（ＰＥ）
製法    ：押出しスポンジ（スキン層付き）
発泡倍率：３０倍
気泡構造：単独気泡
厚さ    ：３ｍｍ
表示処理：接着性をよくするため、スキン層の表面をコロナ処理し、このコロナ処理した面に接着剤６−３で布体（不織布）６−１を接着する。
【００１７】
３．接着剤６−３
湿気硬化形ウレタン系ホットメルト接着剤
つぎに、洗浄体６を円筒パイプ５から取り外して展開して示す図６を参照して、該洗浄体６の構成を説明する。
【００１８】
なお、図６において、表面に見えているのは合成樹脂発泡体シート６−２である。
【００１９】
四角形状の洗浄体６の左右中央部分には、互いに平行な一対の二点鎖線８1 ，８2 で挟まれた帯状の基端部６Ａが形成され、この基端部６Ａは、前記溝７内に嵌まる部分、すなわち取付け部分である。また、二点鎖線で示す折り目線９，９は、後述するように、この洗浄体６を、観音開き式の扉を閉じるように折り曲げたときに谷底になる位置を示す。
【００２０】
前記基端部６Ａを挟んで二対の長孔１０，１０が設けられ、その長孔１０は中央の折り目線９，９に対して両端の円弧１０Ａ，１０Ａが対称になるように形成されている。
【００２１】
基端部６Ａと平行な一方および他方の辺部６Ｂ，６Ｂ´には、それぞれに長い切込１１と短い切込１２が交互に設けられている。
【００２２】
洗浄体６は、帯状の基端部６Ａに対して直交する方向の中心線ＬＣにより第１の半体（図６下部半体）Ｈ１と、第２の半体（図６上部半体）Ｈ２とに二分され、それら両半体Ｈ１，Ｈ２は、後に述べるように、それらの中央部の、前記中心線ＬＣと線対称の中央の折り目線９，９（二点鎖線）に沿ってそれぞれ折り返される。
【００２３】
二点鎖線８1 から一方の辺部６Ｂまでの距離Ｌ1 と、二点鎖線８2 から他方の辺部６Ｂ′までの距離Ｌ2 とは同じである。
【００２４】
対辺６Ｃ，６Ｃ´から折返し線９まで（以下、この間を折返し部６Ｅ1 ，６Ｅ2 という）の寸法Ｌ５は、折り目線（二点鎖線）９，９間（以下、この間を本体部６Ｄという）の寸法Ｌ６の二分の一である。
【００２５】
つぎに、洗浄体６を回転体としての円筒パイプ５に取付ける方法を説明する。
【００２６】
図６に示す展開状態の洗浄体６を、折り目線（二点鎖線）９，９に沿って、そこが谷底になるよう観音開き式の扉を閉じるように、折返し部６Ｅ1 ，６Ｅ2 を、本体部６Ｄに対して折り返す。その折り返した状態を図８に示す。このとき、図８に示すように、対辺６Ｃ，６Ｃ´が、対向して引っ付くように折り返す。図８（Ａ）において、表面６Ｓ，６Ｓに見えているものは、布体６−１である。
【００２７】
そして、図９に示すように、対辺６Ｃ，６Ｃ´がある側の基端部６Ａの中央を棒状の固定具１３（図５参照）で矢印１４の方向に押して、基端部６Ａと固定具１３とを溝７の中に押し込む。
【００２８】
ついで、基端部６Ａを溝７の底に付くまで押し込んだ後に、図２，３に示すように固定具１３両端に一体に形成した止め部１３Ａ，１３Ａをボルト１６，１６で円筒パイプ５の外周面５Ａに取付けて、その固定具１５を円筒パイプ５の中心方向へ押し付ける。これにより、基端部６Ａおよび固定具１３が溝７から抜け出すのを防ぐ。このようにして、図３に示すように、複数の洗浄体６を円筒パイプ５に軸方向に並列して嵌め込んで取付ける。      
【００２９】
図４に示すように、一段目の洗浄体６は幅Ｌが大小交互になるよう取付ける。
【００３０】
図３において、符号１７は、ボルト１６を螺合するためのメネジで、外周面５Ａに設けられている。
【００３１】
サイドブラシ４の構成は、トップブラシ３と基本的に同じ構成になっている。
【００３２】
つぎに第１実施例の作用を説明する。
【００３３】
洗車に際しては図１に示すように、洗浄すべき自動車Ｖを所定位置に停車させ、走行フレーム１を走行させ車体の洗浄を行う。この場合、各トップブラシ３および一対のサイドブラシ４は、図示しない回転駆動手段により回転駆動されて、車体上面および車体側面に沿うように移動しながら該車体上面および車体側面をブラッシング洗浄する。
【００３４】
その際、トップブラシブラシ３およびサイドブラシ４，４の各洗浄体６…は、その布体６−１が車体面に接触してブラッシング洗浄が行なわれる。
【００３５】
つぎに、図１０を参照して本発明の第２実施例について説明する。
【００３６】
この第２実施例は、洗浄体６の構造が前記第１実施例のものと異なっており、すなわち洗浄体６は、合成樹脂発泡体シート６−２の両側面に布体６−１を接着剤６−３で接合して構成される。
【００３７】
しかして、前記合成樹脂発泡体シート６−２、布体６−１および接着剤６−３は、前記第１実施例のものと同じであり、洗浄体６の円筒体５への取付手段も前記第１実施例のものと同じである。
【００３８】
以上、本発明の実施例について説明したが、本発明はその実施例に限定されることなく、本発明の範囲内で種々の実施例が可能である。
【００３９】
たとえば、前記実施例では、布体として不織布を用いているが、これに代えて織布、編布を用いてもよい。
【００４０】
また、前記実施例では、移動式の洗車機としているが、これに代えて車両を、自走させあるいはコンベアなどの移送手段により移送させるようにした洗車機としてもよい。
【図面の簡単な説明】
【００４１】
【図１】本発明洗車機の概略全体正面図
【図２】図１の２−２線に沿う拡大断面図
【図３】図２の３−３線に沿う断面図
【図４】図２の４−４線に沿う断面図
【図５】固定具の斜視図
【図６】洗浄体の展開状態を示す平面図
【図７】図６の７−７線に沿う断面図
【図８】洗浄体を折り返した状態を示す斜視図およびそれを矢印Ｂ方向よりみた図
【図９】洗浄体を回転体に組み付ける過程を示す図
【図１０】第２実施例にかかる洗浄体の断面図
【符号の説明】
【００４２】
５・・・・・・・・・・・回転体（円筒パイプ）
６・・・・・・・・・・・洗浄体
６−１・・・・・・・・・布体
６−２・・・・・・・・・合成樹脂発泡体シート
１１・・・・・・・・・・切込
１２・・・・・・・・・・切込
【図１】
2007118686.tif 000003
【図２】
2007118686.tif 000004
【図３】
2007118686.tif 000005
【図４】
2007118686.tif 000006
【図５】
2007118686.tif 000007
【図６】
2007118686.tif 000008
【図７】
2007118686.tif 000009
【図８】
2007118686.tif 000010
【図９】
2007118686.tif 000011
【図１０】
2007118686.tif 000012